(57)【要約】【課題】車椅子の折りたたみ性を確保しながら簡便な装置構成で車椅子利用者の自力段差克服を可能とする車椅子を提供する。【解決手段】複数の縦フレーム及び横フレームで構成される側部フレームと、この側部フレームの前側部分に設けられた小車輪と、側部フレームの後方部分に設けられた主車輪とを備えた車椅子において、一端を縦フレームに回転可能に支持されるとともにアーム長が伸縮する伸縮用アームと、取付用金具に取り付けられ伸縮用アームを収容位置と作動位置との２位置間で回動させる回動機構とから構成される。【選択図】図１
2011041670.tif 000002
【特許請求の範囲】
【請求項１】
車椅子取付用金具と、一端を該車椅子取付用金具に回転可能に支持されるとともにアーム長が伸縮する伸縮用アームと、前記取付用金具に取り付けられ前記伸縮用アームを収容位置と作動位置との２位置間で回動させる回動機構とを備えることを特徴とする車椅子用補助装置。
【請求項２】
請求項１記載の車椅子用補助装置において、回動機構は、前記伸縮用アームを収容位置と作動位置との２位置間で回動させるための動力源としてのモータを含むことを特徴とする車椅子用補助装置。
【請求項３】
請求項１記載の車椅子用補助装置において、
前記の伸縮用アームは筒材で形成され、
筒材の内部には、アームの長手方向に回転軸を有するモータと、該モータの回転を直線運動に変換する変換機構とが内装され、変換機構の直線運動により伸縮用アームのアーム長を伸縮させることを特徴とする車椅子用補助装置。
【請求項４】
複数の縦フレーム及び横フレームで構成される側部フレームと、この側部フレームの前側部分に設けられた小車輪と、前記側部フレームの後方部分に設けられた主車輪とを備えた車椅子において、
一端を前記縦フレームに回転可能に支持されるとともにアーム長が伸縮する伸縮用アームと、前記取付用金具に取り付けられ前記伸縮用アームを収容位置と作動位置との２位置間で回動させる回動機構とを備えたことを特徴とする車椅子。
【請求項５】
請求項４記載の車椅子において、
前記回動機構は、一端を前記縦フレームに回転可能に支持され、他端を前記伸縮用アームに回転可能に支持された回転用アームであって、アーム長の伸縮により前記伸縮用アームを収容位置と作動位置との２位置間で回動させることを特徴とする車椅子。
【発明の詳細な説明】
【技術分野】
【０００１】
本発明は、車椅子及び車椅子用補助装置に関し、特に車椅子利用者が簡便な手段で段差を乗り越えることができるように工夫された車椅子及び車椅子用補助装置に関する。
【背景技術】
【０００２】
車椅子利用者の中でも、主に手動車椅子を利用して日常生活を送っている下肢障碍者の方が自立行動範囲を広げるためには、階段などの段差を乗り越えねばならない場面が多々存在する。
【０００３】
このため、介助者がいないときでも、あるいは介助者の僅かな助力により車椅子利用者が自力で段差を乗り越えることができるように種々の工夫が施された車椅子が提案され、一部実用化がされている。この点について、特許文献1では、車椅子を4箇所で垂直に持ち上げて段差を乗り越える改善を提案している。
【０００４】
特許文献2では、主車輪の後ろに第三の車輪を設け、段差で第三の車輪を機械的に押し下げることで乗り越える技術が提案されている。
【先行技術文献】
【特許文献】
【０００５】
【特許文献１】特開2002-126010号公報
【特許文献２】特開2000-288032号公報
【発明の概要】
【発明が解決しようとする課題】
【０００６】
上記特許文献に開示された種々の技術によれば、介助者を必要とせずに、あるいは介助者の僅かな助力により段差を自力で乗り越えることができるという部分での改善は行われているが、それぞれに問題点が残る。例えば、特許文献１では4方から垂直に持ち上げるために、このための装置が大掛かりとなり、また前方に進むために一部動作で介助者の助力を必要とする。特許文献２では、第三の車輪が後方に張り出しているために介助者の足元が不自由となり、介助しにくく、また装置が大型となり小回りが利かない。
【０００７】
そのうえ、いずれの特許文献にも当てはまる問題点は、車椅子と一体となった構造であるために、かかる段差昇降用の機構部分が備わった車椅子とならざるを得ない点である。
【０００８】
この点、特許文献１はアタッチメント方式になっており、市販の車椅子に後から取り付けることは可能であるが、そのためには装置を車椅子の大きさに合わせる必要があるために装置がオーダーメードとなり、コスト高となることを避けられない。
【０００９】
つまり、端的に言えばいずれの場合にも特注品の車椅子にならざるを得ないということであり、これでは、誰もがすぐに利用できるということにはならない。
【００１０】
以上のことから本発明においては、車椅子と一体となった特注品であっても、あるいは段差昇降用の機構部分のみをあとから車椅子に取り付ける形であっても効果を享受することのできる簡便な装置構成で、車椅子利用者の自力段差克服を可能とする車椅子及び車椅子用補助装置を提供することを目的とする。
【課題を解決するための手段】
【００１１】
本発明の車椅子用補助装置は、車椅子取付用金具と、一端を該車椅子取付用金具に回転可能に支持されるとともにアーム長が伸縮する伸縮用アームと、取付用金具に取り付けられ伸縮用アームを収容位置と作動位置との２位置間で回動させる回動機構とを備えることを特徴とする。
【００１２】
また、本発明の車椅子用補助装置においては、回動機構は、伸縮用アームを収容位置と作動位置との２位置間で回動させるための駆動源としてのモータを含むものとしてもよい。
【００１３】
さらには、伸縮用アームは筒材で形成され、筒材の内部には、アームの長手方向に回転軸を有するモータと、モータの回転を直線運動に変換する変換機構とが内装され、変換機構の直線運動により伸縮用アームのアーム長を伸縮させるものとしてもよい。
【００１４】
一方、本発明の車椅子は、複数の縦フレーム及び横フレームで構成される側部フレームと、この側部フレームの前側部分に設けられた小車輪と、側部フレームの後方部分に設けられた主車輪とを備え、一端を縦フレームに回転可能に支持されるとともにアーム長が伸縮する伸縮用アームと、取付用金具に取り付けられ伸縮用アームを収容位置と作動位置との２位置間で回動させる回動機構とを備えることを特徴とする。
【００１５】
また、本発明の車椅子においては、回動機構は、一端を前記縦フレームに回転可能に支持され、他端を伸縮用アームの中間部位に回転可能に支持された回転用アームであって、アーム長の伸縮により伸縮用アームを収容位置と作動位置との２位置間で回動させるものとしてもよい。
【発明の効果】
【００１６】
本発明によれば、多くの車椅子利用者の方が、簡便な装置構成で自力段差克服を可能とすることができる。
【図面の簡単な説明】
【００１７】
【図１】車椅子補助装置を取り付けた車椅子の全体構成を示す斜視図
【図２】車椅子の横側面図
【図３】車椅子の背面図
【図４】別体に製作された補助装置の全体構成を示す図
【図５】別体に製作された補助装置の取付部分を拡大した図
【図６】アームの伸縮機構を示す図
【図７】車椅子補助装置収容状態を示す図
【図８】車椅子補助装置展開状態を示す図
【図９】補助装置を用いて段差を上るときの手順を示す図
【図１０】補助装置を用いて段差を降りるときの手順を示す図
【図１１】補助装置を用いて段差を上るときの各アームの操作位置を示す図
【図１２】補助装置を用いて段差を降りるときの各アームの操作位置を示す図
【図１３】本発明の第1の代案の補助装置を示す図
【図１４】本発明の第2の代案の補助装置を示す図
【図１５】本発明の第3の代案の補助装置を示す図
【発明を実施するための形態】
【００１８】
以下、本発明の車椅子及び車椅子用補助装置並びにその操作方法について、順次説明する。
【実施例１】
【００１９】
まず、本発明にかかる補助装置を取り付けた車椅子について図１、図２、図３を用いて説明する。図１は、補助装置を取り付けた車椅子の全体を示す斜視図、図２はその横側面図、図３は背面図である。
【００２０】
本発明で用いられる車椅子１００は、ＪＩＳ規格に準拠する通常の車椅子であり、全体は軽量なフレームで構成される。図１と図２に示すように、車椅子１００は、座面１１４の両側に位置する側部フレームを主体とする。この側部フレームは、横フレーム１０１，１０２，１０３と縦フレーム１０４，１０５，１０６、１０７で構成される。
【００２１】
これらフレームのうちの最も前方に位置する縦フレーム１０６の下端には、フットレスト１１０が取り付けられる。また中間部の下方に位置する縦フレーム１０４の下部には、前輪である小車輪１１１が取り付けられる。さらに、縦フレームのうちの最も後方に位置する縦フレーム１０７には、その最上部に押手１１３が設けられる。そして、これらの縦フレーム１０４，１０６，１０７は、横フレーム１０１，１０２によって連結されている。また、縦フレーム１０７と横フレーム１０２とは、横フレーム１０３及び縦フレーム１０５によって連結される。
【００２２】
また、側部フレームの後方部分には、縦フレーム１０７の下部の位置において後輪である主車輪１１２が回転可能に取り付けられている。
【００２３】
図２に示すように１つの主車輪１１２と、１つの小車輪１１１と、縦横のフレームからなる側部フレームと、１つのフットレスト１１０とで、１組の車椅子側面部材を構成し、図１に示すように２組の車椅子側面部材の間に座面１１４と背面１１５を取り付けた形で、いわゆる車椅子１００が構成されている。なお、座面１１４と背面１１５とは、布あるいは皮製であり、折りたたむことができる。
【００２４】
また、車椅子１００の背面には本発明の補助装置２００が取り付けられる。つまり、図１に示されているように、本発明の段差昇降用の補助装置２００は、各車椅子側面部材の最も後方に位置する２つの縦フレーム１０７のそれぞれに対し固定金具２３０を用いて取り付けられる。
【００２５】
図示の例において、補助装置２００は、車椅子1００を昇降させるための伸縮用アーム２１０と、伸縮用アーム２１０を収容位置と作動位置との間で回動させるための回動機構としての回転用アーム２２０とを備える。伸縮用アーム２１０は、固定金具２３０を介して一端を縦フレーム１０７に回転可能に取り付けられ、他端にキャスタ２１１を備える。また、回転用アーム２２０は、一端を縦フレーム１０７に回転可能に取り付けられ、他端を伸縮用アーム２１０の中間部位に回転可能に取り付けられる。そして、図示の例では、縦フレーム１０７における伸縮用アーム２１０と回転用アーム２２０の取付位置は、伸縮用アーム側取付位置を回転用アーム側取付位置の上にしている。
【００２６】
図３は補助装置２００を取り付けた車椅子１００の背面図であり、この図で明らかなように本発明の補助装置２００（背面から見ると伸縮用アーム２１０のみが見える）は、縦フレーム１０７に沿って幅方向における主車輪１１２の内側に上下方向に延在するように設置されている。なお、車椅子１００には図３の背面図に示すように、車椅子を広げたときに車輪間の間隔を一定に保持するための折りたたみ可能な固定具１１６が設けられている。
【００２７】
以上での説明においては、補助装置２００を車椅子１００と別体に製作し、固定具２３０で車椅子１００に取り付けて使用することを念頭においているが、これを車椅子と一体に製作することも可能である。補助装置２００を製作当初から車椅子１００と一体に構成して、補助装置付車椅子とすることは当業者が容易に行い得ることができることなので、ここでの図示等を用いた説明を省略するが、要するに固定具２３０を縦フレーム１０７に一体的に形成することで実現できる。
【００２８】
図４は、別体に製作された補助装置２００の全体構成を示している。この補助装置２００は、先に述べたように、補助装置自体を車椅子１００の各縦フレーム１０７に固定するための固定金具２３０と、伸縮用アーム２１０と、回転用アーム２２０とを備えている。
【００２９】
伸縮用アーム２１０と回転用アーム２２０とは、いずれも頭部（２１０ｃ、２２０ｃ）と外筒（２１０ａ、２２０ａ）と内筒（２１０ｂ、２２０ｂ）から構成され、頭部２１０ｃと２２０ｃを、それぞれ支持部材２３１と２３２にピン２１２と２２２によって回転できるように取り付けている。また、回転用アーム２２０の内筒２２０ｂは、伸縮用アーム２１０の中間部位として例えば外筒２１０ａの部分に回転できるように取り付けている。なお、この補助装置２００を構成する部材は極力軽量化することが望ましい。特にアーム材はアルミニウムのような軽量かつ高強度な材料とされる。
【００３０】
固定金具２３０は、伸縮用アーム２１０及び回転用アーム２２０が取り付けられる板状部材２３５と、板状部材２３５を縦フレーム１０７に対し固定するためのＵ字部材２３４とで構成されている。また、板状部材２３５には、伸縮用アーム２１０の一端を回転可能に支持するための第１の支持部材２３１と、回転用アーム２２０の一端を回転可能に支持するための第２の支持部材２３２とが固定されている。
【００３１】
図５は、固定金具２３０を縦フレーム１０７に取り付けた状態を示す図であり、板状部材２３５とＵ字部材２３４とで縦フレーム１０７を挟んだ状態で、Ｕ字部材２３４の開放側の端部を板状部材２３５に形成された貫通穴に通してある。Ｕ字部材２３４の開放側にはねじを切っておき、ここをボルト締めすることで、縦フレーム１０７に固定金具２３０を固定する。そして、固定金具２３０の第１の支持部材２３１及び第２の支持部材２３２のそれぞれに伸縮用アーム２１０及び回転用アーム２２０が取り付けられることにより、補助装置２００自体が車椅子１００の縦フレーム１０７に取り付けられた状態となる。このように本発明の補助装置２００は、車椅子に極めて簡便に取り付けることができる。このため、特注品の車椅子にする必要がないので、多くの利用者に利用してもらえることが期待できる。
再び図４に戻り、次に各アーム２１０、２２０について説明する。各アーム２１０、２２０の一端は先ほど述べたように、固定金具２３０の第１、第２の支持部材２３１、２３２に回転可能に支持されている。また、回転用アーム２２０の他端は、伸縮用アーム２１０の中間部位に固定された第３の支持部材２３３に回転可能に取り付けられる。さらに、伸縮用アーム２１０の他端には、キャスタ２１１が取り付けられている（図４では図示略）。なお、伸縮用アーム２１０の他端に取り付けられるキャスタについては必ずしも必要ではなく、代わりに滑り止めのゴム製のキャップを取り付ける構成としてもよい。さらには、キャスタを採用する構成であっても、回転自在なものに限らず、ワンウェイクラッチやラチェット機構などを用いた進行方向にのみ回転するキャスタとすることもできる。この部分についてのこれらの変形は、利用者の状況に応じて適宜選択すべきことである。
【００３２】
この図から明らかなように、伸縮用アーム２１０は回転用アーム２２０の上側に配置され、かつ３組の支持部材２３１、２３２、２３３によって回転可能に支持されている。
【００３３】
図４には伸縮用アーム２１０と回転用アーム２２０の外形を示したが、これらのアームは、主に角型の外筒２１０ａ、２２０ａと、角型の内筒２１０ｂ、２２０ｂと、外筒の頭部２１０ｃ、２２０ｃから構成される。これらは角型筒状に形成された中空部材である。そして、内筒２１０ｂ、２２０ｂは、その外面において外筒２１０ａ、２２０ａの中空部の内面に嵌まり込むように形成され、外筒２１０ａ、２２０ａに対し回転不能な状態で長手方向に摺動可能に設けられる。
【００３４】
図６は、外筒２１０ａ、２２０ａを取り外したときのアーム内部の構造を示した図である。各アームの内部にはモータ６１と、モータ６１を外筒の頭部２１０ｃ、２２０ｃの内側に固定する固定具６２と、アームにかかる荷重をモータ６１に伝えないためのスラスト軸受け６３、及び外筒の頭部２１０ｃ、２２０ｃと外筒２１０ａ、２２０ａとに固定される固定具６６、モータ６１の回転を送りねじ６４に伝達するカップリング６７、ナット部６５などを備える。
【００３５】
モータ６１は、平板状の固定具６２で支持されており、その回転軸が固定具６１を貫通して伸びている。この固定具６２には、反モータ側の端面に外筒２１０ａ、２２０ａが取り付けられるとともに、その周面に外筒の頭部２１０ｃ、２２０ｃが嵌めあわされて固定される。したがって、モータ６１は、外筒の頭部２１０ｃ、２２０ｃを組み付けた状態で、その頭部２１０ｃ、２２０ｃに収容された状態となる。
【００３６】
また、送りねじ６４は、固定具６６によって外筒２１０ａ、２２０ａの内面に固定されて外筒２１０ａ、２２０ａの中空部内に設けられたスラスト軸受け６３により、外筒２１０ａ、２２０ａに対し回転可能に支持される。また、送りねじ６４は、モータ６１側の端部から突出して固定具６６を貫通する軸部がモータ６１の回転軸とカップリング６７により連結される。これにより、モータ６１の回転軸の回転が、カップリング６７及び軸部を介して送りねじ６４に伝達され、送りねじ６３はモータ６１によって回転駆動される。
【００３７】
内筒２１０ｂ、２２０ｂのモータ６１側の端部には、その中空部の内面に、送りねじ６４の雄ねじと螺合する雌ねじがきられたナット部６５が形成されている。そして、内筒２１０ｂ、２２０ｂは、このナット部において送りねじ６４と螺合している。
【００３８】
これらの構成によれば、モータ６１が送りねじ６４を回転駆動することにより、各アームの伸縮動作が行われる。すなわち、先に述べたように、内筒２１０ｂ、２２０ｂは外筒２１０ａ、２２０ａに対し回転不能に嵌まりあっているため、モータ６１の回転駆動により送りねじ６４と送りねじ６４に螺合する内筒２１０ｂ、２２０ｂのナット部６５との間で相対回転が生じ、内筒２１０ｂ、２２０ｂは、外筒２１０ａ、２２０ａの内面に案内されつつ、送りねじ６４の回転方向に応じてアームの長手方向に直線的に変位する。これにより、外筒２１０ａ、２２０ａからの内筒２１０ｂ、２２０ｂの突出量が変化し、この結果としてアームは伸縮する。そして、この構成の場合、送りねじ６４、内筒２１０ｂ、２２０ｂのナット部65、及び内筒２１０ｂ、２２０ｂの回転を阻止する構成が、モータ６１の回転軸の回転を直線運動に変換する変換機構を構成する。
【００３９】
以上の説明で明らかなように、伸縮用アーム２１０と回転用アーム２２０は三点において支持部材２３１、２３２、２３３で回転可能に支持され、それぞれが伸縮する。この伸縮の前後における車椅子への取り付け状況を図７と図8で説明する。
【００４０】
図7は、２つのアームが縮んだ状態を示しており、補助装置２００を使用しないときはこの状態とされている。この状態では、補助装置２００は縦フレーム１０７に添う位置、すなわち収容位置で、利用者あるいは介助者の邪魔にならないように折りたたまれている。
【００４１】
図８は、回転用アーム２２０が伸びた状態を示しており、段差を乗り越えるときに伸縮用アーム２１０がこの位置、すなわち作動位置を取る。この図では、回転用アーム２２０が伸びているが、三点を支持部材２３１、２３２、２３３で回転可能に支持されているため、結果として伸縮用アーム２１０を回転させ、これを後方に押し広げるように作用する。なお、伸縮用アームはこの状態から内筒を伸ばしていく。このように本発明の補助装置は、段差昇降時以外には収容されているので小型であり、車椅子１００の操作性を妨げることはない。
【００４２】
次に本発明の補助装置を備えた車椅子を用いて、車椅子利用者がどのようにして段差を克服するのか、その一連の手順について以下説明する。図９は、車椅子と利用者と段差の位置関係を、段差Ｓを乗り越えるときの手順について模式的に示した図である。
【００４３】
まず、車椅子利用者は、段差Ｓに差し掛かる（a）と、回転用アーム２２０を伸ばして収容位置にある伸縮用アーム２１０を後方にせり出す作動位置へもたらす（ｂ）。次に利用者は体重を後方に移し、キャスタ２１１に体重を預ける（ｃ）。利用者はこの体勢のまま前進し、前車輪１１１を段差Ｓの上に乗せる（ｄ）。利用者はここで伸縮用アーム２１０を伸ばし始めるように手元スイッチを操作する。これにより車椅子は利用者ごと持ち上がる（e）。このとき利用者は、主車輪１１２を段差Ｓに接触させ、以後この接触状態を保つように車椅子１００の位置を保持しておくと持ち上げの操作が安定して行われる。車椅子がある程度持ち上げられた状態では、利用者の僅かな主車輪１１２の回転操作で車椅子を前進させることができ、全体重を段差上の主車輪１１２に移すことができる（ｆ）。最後に伸縮用アーム２１０を縮め（ｇ）、回転用アーム２２０を縮めれば、段差乗り越えの一連の操作が完了する。
【００４４】
同様に段差Ｓを降りるときは、ごく単純には後ろ向きになって以上の動作を反対に行えばよい。この手順を図１０の模式図で説明する。
【００４５】
まず利用者は、車椅子ごと後ろ向きに段差Ｓの縁に位置付けし、回転用アーム２２０を伸ばし（a）、ついで伸縮用アーム２１０を伸ばして、これを段差の下に届くまで操作する（ｂ）。伸縮用アーム２１０を伸ばしきった状態で体重をキャスタ２１１に預け、この位置から伸縮用アーム２１０を順次縮めていく（ｃ）。この状態では車椅子はゆっくり降下していくが、このときに同時に回転用アーム２２０を伸ばして主車輪１１２を後方に展開するように動かすことが安定に降下させる上で有効である。しかして主車輪１１２が段差下に届くと（ｄ）、車椅子を後退させて前車輪を段差から降ろし（e）、以後は通常姿勢に戻ったら回転用アーム２２０を縮めて（ｆ）、最後に伸縮用アーム２１０も縮めて収容状態に復帰する（ｇ）。
【００４６】
本発明装置の操作は以上のように行われるが、この段差昇降のときの２つのアームの駆動位置（伸縮位置）を図示すると、上るときは図１１、降りるときは図１２のように操作してやることが望ましい。このタイムチャートは図9と図１０での説明に即したものであるので、更なる説明は重複となるので避ける。
【００４７】
なお、実際に車椅子に装備するときには、利用者にこの２つのアームの動きに沿った手元スイッチ操作を行わせしめるわけであるが、これを利用者に委ねるのではなく、マイクロコンピュータ等を用いて２つのアームの動きを記憶させておき、自動的に行わせしめることが有用である。例えば、段差を上るときの段階を準備段階（図９、図１１の（a）から（ｃ）まで）、移動段階（図9、図１１の（ｄ）から（ｆ）まで）、収容段階（図９、図１１の（ｇ）から(ｈ)まで）にわけ、この間のどの段階にあるかのみを車椅子利用者がスイッチなどで選定し、選定以後の位置操作をマイクロコンピュータが記憶した図11、図１２の操作パターンに沿って行うというものである。
この場合に、車椅子には補助装置２００内部のモータ６１に電力を供給するためのバッテリー、あるいはマイクロコンピュータといったものを装備する必要がある。この設置場所は車椅子の適宜の場所とできるが、簡便には車椅子背面に通常取り付けられている収容袋の中に入れておくことも可能である。但し手元スイッチは利用者が直接動かすものなので図１の横フレーム１０３に取り付けることになろう。
【００４８】
なお、上記の説明では伸縮用アーム２１０の他端にキャスタを備える例で説明をしたが、これは単なる自由自在なキャスタとせず、進行方向にのみ回転可能な一方向キャスタや、キャスタとは別の滑り止めの部材のような後進を防止する機能を有する部材（後進防止部材）にすることも車椅子利用者にとっては有効と考えられる場合があるので利用者に応じて吟味すべきである。
【００４９】
回転可能なキャスタの場合に、図９（e）の状態で車椅子利用者は、主車輪を段差に接触させこの状態を保持することが必要であったが、上腕に力がない車椅子利用者の場合にはこの状態維持が困難な場合も考えられる。
【００５０】
このようなときには、むしろ後進防止部材としたほうが、伸縮用アームが斜め後方に押し出して、車椅子を持ち上げるときの分力がその部材で受け止められることによって前進力として働くので上腕に力がない車椅子利用者にとっては、この方が楽であるともいえるからである。
【００５１】
また、上記の例において、伸縮用アームに伸縮動作を行わせる機構（伸縮機構）は、モータを動力源とする送りねじ機構によるものとしたが、これに限らず、油圧や空気圧といった流体圧で作動する流体圧シリンダを伸縮機構として採用してもよい。さらに、伸縮機構がモータを動力源とするものであっても、上記の例のように、モータが伸縮用アームの内部に設けられるものに限らず、モータが外付けされたものであってもよい。
【００５２】
以上、本発明の車椅子と、車椅子用補助装置と、その使用方法について述べてきたが、本発明装置について、その根本機能を考えてみると、図７、図８から明らかなように伸縮用アーム２１０を収容位置（図７）と、車椅子を持ち上げる作動位置（図８）との２つのポジションをとるべくこの間で移動させて、伸縮用アームを作動させるものである。但し、この作動位置については、1つの位置に限らず、図１１，１２に示すように、車椅子の段差に対する乗り上げ状態に応じて随時変更されるものであってもよいし、あるいは、段差の高さに応じて調整できるものであってもよい。
【００５３】
そして、このための機構として、上記の例では回転用アーム２２０を用いている。この回転用アーム２２０の機能は、伸縮用アームに収容位置と作動位置とを取らせるための回動機構ということができる。
【００５４】
この回動機構の動力源としてはモータを利用するものあるいは流体圧を利用するものが考えられ、本発明はそのいずれでも実現可能である。また回動機構のメカニズムとしては、種々のものが採用しえるが、以下にいくつかの代案事例を紹介する。
【実施例２】
【００５５】
図１３は、補助装置２００として異なる回動機構の実施例を示している。この例では、収容位置と作動位置との間の伸縮用アーム２１０の回動を、回転用アーム２２０の伸縮ではなく、回転用アーム２２０を伸縮用アーム２１０と連結するための支持部材２３３を伸縮用アーム２１０の長手方向に沿って変位させることにより実現する。したがって、伸縮用アーム２２０は一定の長さであり、支持部材２３３は伸縮用アーム２１０の内部をスライド移動する移動部材２４０に固定されている。
【００５６】
図１３（a）は、伸縮用アーム２１０が収容位置にある状態を示している。移動部材２４０は上方位置にあり、伸縮用アーム２１０は車椅子の縦フレーム１０７に沿った収容状態とされる。移動部材２４０は伸縮用アーム２１０の内部をスライド移動するが、この移動は先に述べた例と同様の、図１３（ｃ）に示すモータの回転を直線運動に変換する機構を採用することで実現できる。
【００５７】
図１３（ｂ）に示すように、移動部材２４０が下方位置に移るとき、回転用アーム２２０と伸縮用アーム２１０で成す角度が直角となる位置で、伸縮用アーム２１０はフレーム１０７から最も離れた位置となり、作動用の位置につく。この状態から伸縮用アーム２１０を伸ばし始めることで、車椅子の持ち上げ状態に入っていく。
【００５８】
図１３（ｃ）は、伸縮用アーム２１０内における移動部材２４０を移動させるための具体構成を示したものである。移動部材２４０は伸縮用アーム２１０の内部において長手方向にスライド可能であって回転不能に設けられ、内周面に雌ねじが切られた貫通孔を有するナット状の部材である。また伸縮用アーム２１０の内部には、その長手方向に沿って送りねじ２４１が設けられており、この送りねじ２４１にナット状の移動部材２４０が螺合している。そして、送りねじ２４１がモータ２４２によって回転駆動されることにより、移動部材２４０が送りねじ２４１に沿って変位する。なお、この回動機構におけるモータ２４２は、伸縮用アーム２１０を伸縮させるためのモータとは別に設置される。また、構成の複雑化を避けるため、伸縮用アーム２１０を伸縮させるための機構と上記の回動機構とは、幅方向において位置が重複しないように設けられるのが好ましい。
【実施例３】
【００５９】
図１４は、補助装置２００として上記とはさらに異なる回動機構の実施例を示している。この例では同図（a）に示すように縦フレーム１０７に取り付けられた固定金具２３０に３つの支持金具４１０、４１１、４１２が設けられており、それぞれの支持金具４１０、４１１、４１２には回転軸４０１、４０２、４０３を有する。これらの回転軸４０１、４０２、４０３には同図（ｂ）に示すようにギアＧ１、Ｇ２、Ｇ３が互いにかみ合っている。
【００６０】
また、第1の回転軸４０１にはモータ４００が取り付けられてギアＧ１を回転させる。第２の回転軸４０２のギアＧ２はギアＧ１により駆動され、この力を最終段のギアＧ３に伝達する。第３の回転軸４０３には伸縮用アーム２１０が固定されており、伝達されたギアの回転位置により収容位置と作動位置を取ることができる。なお、図示の例ではギアがむき出しになっているがこれは適宜ギアボックに収容されることは言うまでもない。
【実施例４】
【００６１】
図１５は、図４の伸縮用アーム２１０と回転用アーム２２０の上下関係を逆（回転用アーム２２０を伸縮用アーム２１０の上側に位置づけたにしたものである。この場合には、回転用アーム２２０が伸びた状態（同図（a））で収容位置をとり、縮んだ状態（同図（ｂ））で作動位置をとる。
【産業上の利用可能性】
【００６２】
本発明によれば、補助装置を予め備えた車椅子とすることも、後から設置することも可能なので多くの車椅子利用者に利用していただけることが期待できる。
【符号の説明】
【００６３】
１００：車椅子
１０１，１０２，１０３：横フレーム
１０４，１０５，１０６，１０７：縦フレーム
１１０：フットレスト
１１１：小車輪
１１２：主車輪
１１３：押手
１１４：座面
１１５：背面
１１６：折りたたみ可能な固定具
２００：補助装置
２１０：伸縮用アーム
２１１：キャスタ
２２０：回転用アーム
２３０：固定金具
２３１、２３２、２３３：支持部材
２３４：Ｕ字部材
【図１】
2011041670.tif 000003
【図２】
2011041670.tif 000004
【図３】
2011041670.tif 000005
【図４】
2011041670.tif 000006
【図５】
2011041670.tif 000007
【図６】
2011041670.tif 000008
【図７】
2011041670.tif 000009
【図８】
2011041670.tif 000010
【図９】
2011041670.tif 000011
【図１０】
2011041670.tif 000012
【図１１】
2011041670.tif 000013
【図１２】
2011041670.tif 000014
【図１３】
2011041670.tif 000015
【図１４】
2011041670.tif 000016
【図１５】
2011041670.tif 000017